(57)【要約】【課題】高温に加熱することのできるヒートポンプ式加熱システムを提供することを課題とする。【解決手段】  加熱室Ａ内の空気を加熱するヒートポンプ式加熱システム１であって、圧メタノールを冷媒とするヒートポンプユニットと、蒸発器２４内を流れる冷媒を加熱するための受熱媒体循環ユニット４と、加熱室Ａ内の空気と凝縮器２２内を流れる冷媒とを熱交換させることにより加熱室Ａ内の空気を加熱する空気循環ユニット３とを備えている。【選択図】図１
2013124844.tif 000002
【特許請求の範囲】
【請求項１】
加熱室内の空気を加熱するヒートポンプ式加熱システムであって、
圧縮機、凝縮器、膨張弁、蒸発器がこの順で環状に接続されており、臨界温度が２００℃以上のハイドロカーボン系冷媒が内部を循環するヒートポンプユニットと、
前記蒸発器内を流れる冷媒を加熱するための第１の加熱手段と、
前記加熱室内の空気を加熱するための補助加熱手段と、を備え、
前記加熱室内の空気と前記凝縮器内を流れる冷媒とを熱交換させることにより前記加熱室内の空気を加熱する、ヒートポンプ式加熱システム。
【請求項２】
前記加熱室内の空気を、前記凝縮器へと送り前記凝縮器内を流れる冷媒と熱交換させた後に前記加熱室内へと戻す空気循環ユニットをさらに備えた、請求項１に記載のヒートポンプ式加熱システム。
【請求項３】
前記第１の加熱手段は、前記加熱室を画定する壁部を介して前記加熱室内の空気から受熱する受熱媒体を、前記蒸発器へと送って前記蒸発器内を流れる冷媒と熱交換させた後に前記加熱室内の空気から前記壁部を介して再度受熱させる受熱媒体循環ユニットである、請求項１又は２に記載のヒートポンプ式加熱システム。
【請求項４】
前記空気循環ユニットは、内部を流れる空気に水を注入する注入手段を有する、請求項２に記載のヒートポンプ式加熱システム。
【請求項５】
前記凝縮器は、前記加熱室内に配置されている、請求項１に記載のヒートポンプ式加熱システム。
【請求項６】
前記第１の加熱手段は、前記蒸発器内を流れる冷媒と前記加熱室内から排出された空気とを熱交換させることにより前記蒸発器内を流れる冷媒を加熱する、請求項１又は５に記載のヒートポンプ式加熱システム。
【発明の詳細な説明】
【技術分野】
【０００１】
本発明は、加熱室内の空気を加熱するためのヒートポンプ式加熱システムに関するものである。
【背景技術】
【０００２】
ヒートポンプは、環境への負荷の低さや、エネルギー効率の高さなどから空気調和装置や給湯機など種々の分野で利用されている。このヒートポンプは、例えば特許文献１に示されるように、圧縮機、凝縮器、膨張弁、蒸発器を閉回路で接続し、その内部を冷媒が循環するような構成としている。
【先行技術文献】
【特許文献】
【０００３】
【特許文献１】特開２００３−１５６２６５号公報
【発明の概要】
【発明が解決しようとする課題】
【０００４】
上述したヒートポンプでは一般的にフロン系ガスや二酸化炭素などが冷媒として使用されるが、このような冷媒では臨界温度が約２０〜１５４℃程度である。このため、凝縮器においては被加熱物を１２０℃程度に加熱するのが限界であって、被加熱物を例えば約２００℃以上に加熱することはそのＣＯＰ（Coefficient Of Performance、成績係数）を低下させてしまうためにヒートポンプを使用して被加熱物を約２００℃以上に加熱することは通常行われない。そこで、本発明は、高温に加熱することのできるヒートポンプ式加熱システムを提供することを課題とする。
【課題を解決するための手段】
【０００５】
本発明に係るヒートポンプ式加熱システムは、加熱室内の空気を加熱するヒートポンプ式加熱システムであって、圧縮機、凝縮器、膨張弁、蒸発器がこの順で環状に接続されており、臨界温度が２００℃以上のハイドロカーボン系冷媒が内部を循環するヒートポンプユニットと、前記蒸発器内を流れる冷媒を加熱するための第１の加熱手段と、前記加熱室内の空気を加熱するための補助加熱手段と、を備え、前記加熱室内の空気と前記凝縮器内を流れる冷媒とを熱交換させることにより前記加熱室内の空気を加熱する。
【０００６】
このヒートポンプ式加熱システムによれば、ヒートポンプユニットの冷媒として臨界温度が２００℃以上であるハイドロカーボン系冷媒を用いているために、凝縮器において加熱室内の空気を約２００℃程度に加熱してもＣＯＰが低下することがない。なお、このような臨界温度が２００℃以上のハイドロカーボン系冷媒としては、ｎ−ヘキサン、２−メチルペンタン、２，２−ジメチルブタン、２，３−ジメチルブタン、ｎ−ヘプタン、２−メチルヘキサン、３−メチルヘキサン、３−エチルペンタン、２，２−ジメチルペンタン、２，３−ジメチルペンタン、２，４−ジメチルペンタン、３，３−ジメチルペンタン、２，２，３−トリメチルブタン、２，２，４−トリメチルペンタン、シクロペンタン、メチルシクロペンタン、１，１−ジメチルシクロペンタン、１−ｃｉｓ−２−ジメチルシクロペンタン、１−ｔｒａｎｓ−２−ジメチルシクロペンタン、１−ｃｉｓ−３−ジメチルシクロペンタン、１−ｔｒａｎｓ−３−ジメチルシクロペンタン等のアルカン（パラフィン）；１−ペンチン、ｃｉｓ−２−ペンテン、ｔｒａｎｓ−２−ペンテン、２−メチル−１−プテン、３−メチル−１−プテン、２−メチル−２−プテン、ｃｉｓ−２−ヘキセン、ｔｒａｎｓ−２−ヘキセン、ｃｉｓ−３−ヘキセン、ｔｒａｎｓ−３−ヘキセン、２−メチル−２−ペンテン、３−メチル−ｃｉｓ−２−ペンテン、３−メチル−ｔｒａｎｓ−２−ペンテン、２，３−ジメチル−１−プテン、３，３−ジメチル−２−プテン、２，３−ジメチル−２−プテン、１−ヘプチン、４，４−ジメチル−１−ペンテン、２，３−ジメチル−２−ペンテン、２，３，３−トリメチル−１−プテン等のアルケン；シクロペンテン、シクロヘキセンなどのシクロアルケン；１，２−ブタジエン、１−ｃｉｓ−３−ペンタジエン、１−ｔｒａｎｓ−３−ペンタジエン、１，４−ペンタジエン、３−メチル−１，２−ブタジエン、２−メチル−１，３−ブタジエン、１，５−ヘキサジエンなどのアレン；２−プチン、１−ペンチン、２−ペンチン、１−ヘキシン、３−ヘキシン、１−ヘプチン、５−メチル−１−ヘキシンなどのアルキン；ベンゼン、トルエンなどのアロマチック；フロン１１４−ｂ−２、φ−ｎ−ヘプタン、φ−メチルシクロヘキサンなどのハロゲン化物；メタノール、エタノール、ｎ−プロパノール、イソプロパノール、ｔｅｒｔ−ブチルアルコールなどのアルコール；アセトン、メチルエチルケトンなどのアルデヒド・ケトン；エチルプロピルエーテル、アリルエチルエーテルなどのエーテルなどを挙げることができ、これらを単体で、若しくは２種以上を混合して使用することができる。
【０００７】
上記ヒートポンプ式加熱システムにおいて、加熱室内の空気と凝縮器内を流れる冷媒との熱交換は種々の方法で行うことができ、例えば、加熱室内の空気を、凝縮器へと送り凝縮器内を流れる冷媒と熱交換させた後に加熱室内へと戻す空気循環ユニットをさらに備えた構成とすることができる。
【０００８】
また、上記第１の加熱手段は、加熱室を画定する壁部を介して加熱室内の空気から受熱する受熱媒体を、蒸発器へと送り蒸発器内を流れる冷媒と熱交換させた後に加熱室内の空気から前記壁部を介して再度受熱させる受熱媒体循環ユニットとすることができる。これによれば、加熱室内から漏れる熱を有効に利用することができる。
【０００９】
また、上記空気循環ユニットは、内部を流れる空気に水を注入する注入手段をする構成とすることができる。これにより、加熱室内に過熱水蒸気を供給することができる。
【００１０】
また、上記凝縮器を加熱室内に配置することにより、加熱室内の空気と凝縮器内を流れる冷媒とを熱交換させて、加熱室内の空気を加熱することができる。
【００１１】
また、上記第１の加熱手段は、蒸発器内を流れる冷媒と、加熱室内から排出された空気とを熱交換させることにより蒸発器内を流れる冷媒を加熱するような構成とすることもできる。
【発明の効果】
【００１２】
本発明によれば、高温に加熱することのできるヒートポンプ式加熱システムを提供することができる。
【図面の簡単な説明】
【００１３】
【図１】図１は第１実施形態に係るヒートポンプ式加熱システムの構成図である。
【図２】図２は第２実施形態に係るヒートポンプ式加熱システムの概略図である。
【図３】図３は第１実施形態に係るヒートポンプ式加熱システムの変形例を示す構成図である。
【発明を実施するための形態】
【００１４】
（第１実施形態）
以下、本発明に係るヒートポンプ式加熱システムの第１実施形態について図面を参照しつつ説明する。
【００１５】
図１に示すように、ヒートポンプ式加熱システム１は、断熱材６ａによって囲まれた加熱室Ａ内の空気を加熱するためのシステムであって、ヒートポンプユニット２、空気循環ユニット３、受熱媒体循環ユニット４、補助ヒータ（補助加熱手段）５を主な構成としている。
【００１６】
［ヒートポンプユニット］
ヒートポンプユニット２は、圧縮機２１、凝縮器２２、膨張弁２３、蒸発器２４が冷媒配管によってこの順で環状に接続されている。ヒートポンプユニット２内を循環する冷媒としては、その臨界温度が約２００℃以上のハイドロカーボン（HC）系冷媒を使用し、例えば、ｎ−ヘキサン、２−メチルペンタン、２，２−ジメチルブタン、２，３−ジメチルブタン、ｎ−ヘプタン、２−メチルヘキサン、３−メチルヘキサン、３−エチルペンタン、２，２−ジメチルペンタン、２，３−ジメチルペンタン、２，４−ジメチルペンタン、３，３−ジメチルペンタン、２，２，３−トリメチルブタン、２，２，４−トリメチルペンタン、シクロペンタン、メチルシクロペンタン、１，１−ジメチルシクロペンタン、１−ｃｉｓ−２−ジメチルシクロペンタン、１−ｔｒａｎｓ−２−ジメチルシクロペンタン、１−ｃｉｓ−３−ジメチルシクロペンタン、１−ｔｒａｎｓ−３−ジメチルシクロペンタン等のアルカン（パラフィン）；１−ペンチン、ｃｉｓ−２−ペンテン、ｔｒａｎｓ−２−ペンテン、２−メチル−１−プテン、３−メチル−１−プテン、２−メチル−２−プテン、ｃｉｓ−２−ヘキセン、ｔｒａｎｓ−２−ヘキセン、ｃｉｓ−３−ヘキセン、ｔｒａｎｓ−３−ヘキセン、２−メチル−２−ペンテン、３−メチル−ｃｉｓ−２−ペンテン、３−メチル−ｔｒａｎｓ−２−ペンテン、２，３−ジメチル−１−プテン、３，３−ジメチル−２−プテン、２，３−ジメチル−２−プテン、１−ヘプチン、４，４−ジメチル−１−ペンテン、２，３−ジメチル−２−ペンテン、２，３，３−トリメチル−１−プテン等のアルケン；シクロペンテン、シクロヘキセンなどのシクロアルケン；１，２−ブタジエン、１−ｃｉｓ−３−ペンタジエン、１−ｔｒａｎｓ−３−ペンタジエン、１，４−ペンタジエン、３−メチル−１，２−ブタジエン、２−メチル−１，３−ブタジエン、１，５−ヘキサジエンなどのアレン；２−プチン、１−ペンチン、２−ペンチン、１−ヘキシン、３−ヘキシン、１−ヘプチン、５−メチル−１−ヘキシンなどのアルキン；ベンゼン、トルエンなどのアロマチック；フロン１１４−ｂ−２、φ−ｎ−ヘプタン、φ−メチルシクロヘキサンなどのハロゲン化物；メタノール、エタノール、ｎ−プロパノール、イソプロパノール、ｔｅｒｔ−ブチルアルコールなどのアルコール；アセトン、メチルエチルケトンなどのアルデヒド・ケトン；エチルプロピルエーテル、アリルエチルエーテルなどのエーテルを挙げることができ、これらを単独で使用しても良いし、２種以上の冷媒を混合して使用してもよい。
【００１７】
圧縮機２１は、駆動装置（図示省略）によって駆動され、吸引した冷媒を内部で圧縮して高圧・高温とし凝縮器２２側へと吐出するように構成されている。
【００１８】
凝縮器２２は、その内部において、冷媒と、後述する空気循環ユニット３によって送られてくる加熱室Ａ内の空気とを熱交換させるように構成されており、例えば、内部に冷媒用の流路と空気用の流路とが形成された熱交換器（プレート式熱交換器など）によって構成することができる。この凝縮器２２は、圧縮機２１の下流側に配管を介して接続されるとともに、後述する空気循環ユニット３が接続されている。なお、凝縮器２２内では、空気循環ユニット３から送られてくる空気が、冷媒と熱交換することによって、加熱される。
【００１９】
膨張弁２３は、冷媒を急激に減圧して温度を下げるとともに圧力も下げるように構成されており、凝縮器２２の下流側に配管を介して接続されている。
【００２０】
蒸発器２４は、その内部において、冷媒と、後述する受熱媒体循環ユニット４から送られてくる受熱媒体とを熱交換させるように構成されており、例えば、内部に冷媒用の流路と、受熱媒体用の流路とが形成された熱交換器（プレート式熱交換器など）によって構成することができる。この蒸発器２４は、膨張弁２３の下流側に配管を介して接続されるとともに、後述する受熱媒体循環ユニットが接続されている。この蒸発器２４では、冷媒が、受熱媒体と熱交換することによって加熱される。
【００２１】
［空気循環ユニット］
空気循環ユニット３は、排気部３１、給気部３２、第１の接続部３３、及び第２の接続部３４から主に構成されており、全体として内部に空気が流通する配管として形成されている。排気部３１は加熱室Ａ内の下部に設置され加熱室Ａ内の空気を吸い込むように構成されたものであり、給気部３２は加熱室Ａ内の上部に設置され内部に送られてきた空気を加熱室Ａ内に送風するように構成されたものである。なお、排気部３１や給気部３２の配置は特に限定されるものではない。第１の接続部３３は、排気部３１と凝縮器２２とを接続し、排気部３１によって吸い込んだ加熱室Ａ内の空気を凝縮器２２へと送るものである。また、第２の接続部３４は、給気部３２と凝縮器２２とを接続し、凝縮器２２によって加熱された空気を給気部３２へと送るものである。また、加熱室Ａ内の空気を、排気部３１、第１の接続部３３、凝縮器２２、第２の接続部３４，給気部３２、加熱室Ａの順で循環させるようなポンプ（図示省略）が設置されている。
【００２２】
［受熱媒体循環ユニット］
受熱媒体循環ユニット４は、受熱部４１，第１の接続部４２，及び第２の接続部４３から構成されており、全体として内部に受熱媒体が流通する配管として形成されている。受熱部４１は、乾燥室Ａ近傍に設置されており、断熱材６ａを介して乾燥室Ａ内から漏れてきた熱を受熱することによって内部を流れる受熱媒体を加熱させる。この受熱部４１内を流れる受熱媒体が乾燥室Ａ内の空気と積極的に熱交換すると乾燥室Ａ内の温度を低下させてしまうため、受熱部４１と加熱室Ａとの距離は、加熱室Ａ内から自然に漏れる熱を受容する程度の距離とすることが好ましい。また、受熱部４１の外周部は断熱材６ｂによって覆われているため、外気と熱交換して受熱媒体が冷却されることが防止される。
【００２３】
受熱媒体循環ユニット４の第１の接続部４２は、上述した受熱部４１と蒸発器２４とを接続し、受熱部４１において受熱した受熱媒体を蒸発器２４へと送るものである。また、第２の接続部４３は、蒸発器２４において冷媒へと放熱して冷却された受熱媒体を受熱部４１へ送るように蒸発器２４と受熱部４１とを接続している。なお、受熱媒体を、受熱部４１、第１の接続部４２，蒸発器２４，第２の接続部４３、受熱部４１の順で循環させるためのポンプ（図示省略）も設置されている。また、受熱媒体として、例えば、空気などの気体や、シリコンオイルなどの液体などを使用することができる。
【００２４】
［補助ヒータ］
補助ヒータ５は、本ヒートポンプ式加熱システム１の立ち上がり時において、加熱室Ａ内の空気がある程度の温度まで上昇するよう加熱室Ａ内の空気を加熱する補助加熱手段であり、他にもバーナーなどとすることができる。
【００２５】
［作動方法］
次に、上述したように構成されたヒートポンプ式加熱システム１の作動について説明する。なお、以下では、乾燥を要する対象物（例えば塗装された部材）を約２００℃の加熱室Ａ内に配置して乾燥させるものとし、また、ヒートポンプユニット２内をメタノールが冷媒として循環し、受熱媒体循環ユニット４内を空気が受熱媒体として循環するものとして説明を行う。
【００２６】
まず、補助ヒータ５によって加熱室Ａ内が所望の温度（例えば、約１５０〜２００℃程度）となるまで加熱室Ａ内の空気を加熱する。なお、加熱室Ａ内の温度が既に所望の温度以上であれば、この補助ヒータ５による加熱を省略することができる。加熱室Ａ内が所望の温度まで上昇すると、ヒートポンプユニット２、空気循環ユニット３、受熱媒体循環ユニット４を作動させる一方で、補助ヒータ５は停止させる。
【００２７】
空気循環ユニット３が作動することで、加熱室Ａ内の空気は、排気部３１から吸い込まれ、第１の接続部３３を介して凝縮器２２へと送られる。凝縮器２２には、この加熱室Ａ内の空気以外にも、ヒートポンプユニット２内を循環する冷媒が送られてくる。なお、この冷媒は圧縮機２１によって圧縮されて高温高圧となった状態（約２２０〜３００℃）で凝縮器２２へと送られてくる。このため、空気循環ユニット３内を流れる空気は、凝縮器２２内において、ヒートポンプユニット２内を流れる冷媒と熱交換を行うことで温度が約１５０〜２５０℃まで上昇し、その後、凝縮器２２を出て第２の接続部３４，給気部３２を介して加熱室Ａ内へと戻される。このサイクルを繰り返す間、加熱室Ａ内の空気は約２００℃を維持する。
【００２８】
一方、ヒートポンプユニット２内を流れる冷媒は、凝縮器２２で熱交換を行い凝縮して約１５０〜２００℃程度まで温度が下がり、続いて膨張弁２３に送られて減圧されることで約８０〜１２０℃程度まで温度が下がり、蒸発器２４へと送られる。
【００２９】
蒸発器２４には、上記冷媒以外にも、受熱媒体循環ユニット４内を流れる受熱媒体が送られてくる。なお、この受熱媒体は、受熱部４１を流れている間に加熱室Ａ内から受熱し、約１００〜１５０℃の温度となって蒸発器２４へと送られてくる。この蒸発器２４において、ヒートポンプユニット２内を循環する冷媒は、受熱媒体循環ユニット４の受熱媒体と熱交換を行うことによって蒸発し、約１００〜１５０℃程度まで温度が上昇した状態で圧縮機２１へと再度送られる。
【００３０】
また、蒸発器２４において熱交換することで温度が低下した受熱媒体は、第２の接続部４３を介して受熱部４１へ送られることで、再度、約１００〜１５０℃となって蒸発器２４へと送られてくる。
【００３１】
（第２実施形態）
次に、本発明に係るヒートポンプ式加熱システムの第２実施形態について説明する。
【００３２】
図２に示すように、第２実施形態に係る加熱室Ａは、加熱室Ａ内に空気を取り込むための吸気ダクト１１と、加熱室Ａ内の空気を外部へと排出するための排気ダクト１２とが形成されている。第２実施形態に係るヒートポンプ式加熱システム１’は、第１実施形態のヒートポンプユニット２と同様に、圧縮機２１、凝縮器２２、膨張弁２３，蒸発器２４がこの順で環状に接続されたヒートポンプユニット２を備えている。このヒートポンプユニット２内を循環する冷媒は、上記第１実施形態において説明したような臨界温度が２００℃以上のハイドロカーボン（ＨＣ）系冷媒を用いる。
【００３３】
ヒートポンプユニット２は、凝縮器２２が加熱室Ａ内に配置されており、凝縮器２２内を流れる冷媒が加熱室Ａ内の空気と熱交換することで加熱室Ａ内の空気を加熱するように構成されている。また、ヒートポンプユニット２の蒸発器２４は、排気ダクト１２内に設置されており、蒸発器２４内を流れる冷媒が、排気ダクト１２内を流れる空気と熱交換することで加熱されるように構成されている。なお、第２実施形態では、凝縮器２２内を流れる冷媒と、加熱室Ａ内の空気とが熱交換する形態となるため、凝縮器２２は、フィンを有するフィンチューブ熱交換器などによって構成することが好ましい。また、蒸発器２４も同様にフィンチューブ熱交換器などによって構成することが好ましい。
【００３４】
このように構成された第２実施形態に係るヒートポンプ式加熱システム１’の作動方法について説明すると、まず、加熱室Ａ内に設置された補助ヒータ５により、加熱室Ａ内の温度を所望の温度（例えば、約    〜    ℃程度）となるまで、加熱室Ａ内の空気を加熱する。なお、加熱室Ａ内の温度が既に所望の温度以上であれば、この補助ヒータ５による加熱を省略することができる。加熱室Ａ内が所望の温度まで上昇すると、ヒートポンプユニット２を作動させ、補助ヒータ５を停止させる。
【００３５】
ヒートポンプユニット２を作動させると、まず、加熱室Ａ内の空気が排気ダクト１２を介して外部へと排出されることで、排気ダクト１２内の温度が約１００〜１５０℃程度となる。このため、蒸発器２４内を流れる冷媒が約８０〜１４０℃程度となって圧縮機２１へと送られ、圧縮機２１にて圧縮された冷媒は約２００〜３００℃程度となって凝縮器２２へと送られる。凝縮器２２では、冷媒が加熱室Ａ内の空気と熱交換することで、加熱室Ａ内を約１８０〜２００℃程度に保持し、冷媒自体は、加熱室Ａ内の空気に放熱することで、約１８０〜２００℃程度となって、膨張弁２３へと送られる。膨張弁２３では、冷媒を減圧することで冷媒の温度を約８０〜１２０℃程度まで下げて蒸発器２４へと冷媒を送る。このサイクルを繰り返すことで、加熱室Ａ内の温度を約１８０〜２００℃程度に維持する。
【００３６】
以上の第１及び第２実施形態によれば、冷媒として臨界温度が２００〜３００℃程度のハイドロカーボン系冷媒を使用するため、加熱室Ａ内の空気を約１５０〜２００℃まで加熱しても臨界温度を超えることがなく、ＣＯＰが低下することがない。
【００３７】
以上、本発明の第１及び第２実施形態について説明したが、本発明はこれらに限定されるものではなく、本発明の趣旨を逸脱しない限りにおいて種々の変更が可能である。
【００３８】
例えば、図２に示すように、第１実施形態に係る空気循環ユニット３において、水注入部７を第１の接続部３３に設けることもできる。この水注入部７から第１の接続部内に水を注入することによって、加熱室Ａ内に約２００℃程度の過熱水蒸気を供給することができる。なお、この水注入部７は、第２の接続部３４にも設けることができるが、凝縮器２２内に送られる加熱室Ａ内の空気の温度を下げてＣＯＰを向上させる観点からは、第１の接続部３３に設けることが好ましい。
【００３９】
また、第１実施形態においても第２実施形態と同様に、ヒートポンプユニット２の凝縮器２２を加熱室Ａ内に設置することで空気循環ユニット３を省略することができる。なお、この場合は、凝縮器２２内を流れる冷媒と、加熱室Ａ内の空気とが熱交換する形態となるため、凝縮器２２は、フィンを有するフィンチューブ熱交換器などによって構成することが好ましい。
【００４０】
また、上記第１実施形態では、受熱媒体循環ユニット４内を流れる受熱媒体は、加熱室Ａ内の空気によって加熱されていたが、その他の熱源によって加熱されてもよい。
【００４１】
また、上記第１実施形態では、受熱媒体循環ユニット４を使用して、蒸発器２４においてヒートポンプユニット２内を流れる冷媒を加熱していたが、蒸発器２４内の冷媒を加熱できるものであれば、特に受熱媒体循環ユニット４に限定されるものではない。例えば、蒸発器２４を熱源の近くに設置することで、熱源によって加熱された空気と蒸発器２４内を流れる冷媒とを熱交換させて冷媒を加熱することができる。なお、この場合、蒸発器２４は、フィンを有するフィンチューブ熱交換器などによって構成することが好ましい。
【符号の説明】
【００４２】
１    ヒートポンプ式加熱システム
２    ヒートポンプユニット
３    空気循環ユニット
４    受熱媒体循環ユニット
５    補助ヒータ
【図１】
2013124844.tif 000003
【図２】
2013124844.tif 000004
【図３】
2013124844.tif 000005